【手続補正書】
【提出日】平成25年1月16日(2013.1.16)
【手続補正１】
【補正対象書類名】特許請求の範囲
【補正対象項目名】全文
【補正方法】変更
【補正の内容】
【特許請求の範囲】
【請求項１】
実空間を撮影した入力画像を取得する入力画像取得部と；
操作開始を表す第１のユーザ入力が検出された場合に、前記入力画像に映る操作子であって、仮想オブジェクトの操作のために用いられる当該操作子についての認識の結果に応じて算出される画面上の表示位置に前記仮想オブジェクトを表示させる表示制御部と；
前記第１のユーザ入力が検出された場合に、前記仮想オブジェクトと共通する仮想オブジェクトを表示する他の装置へ操作開始を通知するための第１の通知信号を送信する通信部と；
を備える画像処理装置。
【請求項２】
前記第１の通知信号は、前記仮想オブジェクトを識別するための識別データ又は前記表示位置を表す位置データを含む、請求項１に記載の画像処理装置。
【請求項３】
前記通信部は、操作終了を表す第２のユーザ入力が検出された場合に、前記他の装置へ操作終了を通知するための第２の通知信号を送信する、請求項１又は請求項２に記載の画像処理装置。
【請求項４】
前記第２の通知信号は、前記表示位置を表す位置データを含む、請求項３に記載の画像処理装置。
【請求項５】
前記表示制御部は、前記通信部により他の装置から前記第１の通知信号が受信された場合にも、前記入力画像に映る前記操作子を用いて操作される前記仮想オブジェクトを前記画面に表示させる、請求項１〜４のいずれか１項に記載の画像処理装置。
【請求項６】
前記通信部により受信された前記第１の通知信号が自装置が表示すべき仮想オブジェクトに関連しない場合には、前記操作子の認識は行われない、請求項５に記載の画像処理装置。
【請求項７】
前記通信部は、前記第１のユーザ入力が検出された後、前記操作子の認識の結果において前記操作子が前記仮想オブジェクトに接したと判定された場合に、前記他の装置へ前記第１の通知信号を送信する、請求項１に記載の画像処理装置。
【請求項８】
前記通信部は、前記第１の通知信号を、共通する仮想オブジェクトを表示する一群の装置を管理する情報処理装置へ送信する、請求項１に記載の画像処理装置。
【請求項９】
前記第１の通知信号は、前記仮想オブジェクトを識別するための識別データ又は前記表示位置を表す位置データを含み、前記仮想オブジェクトと共通する仮想オブジェクトを表示する他の装置へ前記情報処理装置を介して転送される、請求項８に記載の画像処理装置。
【請求項１０】
前記画像処理装置は、
前記操作子を表す操作子画像を記憶している記憶部と、
前記記憶部に記憶されている前記操作子画像を用いて、前記入力画像に映る前記操作子を認識する画像認識部と、
をさらに備える、請求項１〜９のいずれか１項に記載の画像処理装置。
【請求項１１】
画像処理装置における画像処理方法であって：
実空間を撮影した入力画像を取得するステップと；
操作開始を表す第１のユーザ入力を検出するステップと；
前記画像処理装置が操作しようとする仮想オブジェクトと共通する仮想オブジェクトを表示する他の装置へ操作開始を通知するための第１の通知信号を送信するステップと；
前記入力画像に映る操作子であって、前記仮想オブジェクトの操作のために用いられる当該操作子についての認識の結果に応じて算出される画面上の表示位置に前記仮想オブジェクトを表示させるステップと；
を含む画像処理方法。
【請求項１２】
画像処理装置を制御するコンピュータを：
実空間を撮影した入力画像を取得する入力画像取得部と；
操作開始を表す第１のユーザ入力が検出された場合に、前記入力画像に映る操作子であって、仮想オブジェクトの操作のために用いられる当該操作子についての認識の結果に応じて算出される画面上の表示位置に前記仮想オブジェクトを表示させる表示制御部と；
前記第１のユーザ入力が検出された場合に、前記仮想オブジェクトと共通する仮想オブジェクトを表示する他の装置へ操作開始を通知するための第１の通知信号を送信する通信部と；
として機能させるための、プログラム。
【請求項１３】
２つ以上の画像処理装置を含む画像処理システムであって、
各画像処理装置は：
実空間を撮影した入力画像を取得する入力画像取得部と；
操作開始を表す第１のユーザ入力が検出された場合に、前記入力画像に映る操作子であって、仮想オブジェクトの操作のために用いられる当該操作子についての認識の結果に応じて算出される画面上の表示位置に前記仮想オブジェクトを表示させる表示制御部と；
前記第１のユーザ入力が検出された場合に、前記仮想オブジェクトと共通する仮想オブジェクトを表示する他の装置へ操作開始を通知するための第１の通知信号を送信する通信部と；
をそれぞれ備え、
前記操作子は、前記通信部により他の装置から前記第１の通知信号が受信された場合にも、前記入力画像内で認識される、
画像処理システム。
【手続補正２】
【補正対象書類名】明細書
【補正対象項目名】０００６
【補正方法】変更
【補正の内容】
【０００６】
ある実施形態によれば、実空間を撮影した入力画像を取得する入力画像取得部と、操作開始を表す第１のユーザ入力が検出された場合に、上記入力画像に映る操作子であって、仮想オブジェクトの操作のために用いられる当該操作子についての認識の結果に応じて算出される画面上の表示位置に上記仮想オブジェクトを表示させる表示制御部と、上記第１のユーザ入力が検出された場合に、上記仮想オブジェクトと共通する仮想オブジェクトを表示する他の装置へ操作開始を通知するための第１の通知信号を送信する通信部と、を備える画像処理装置が提供される。
【手続補正３】
【補正対象書類名】明細書
【補正対象項目名】０００８
【補正方法】変更
【補正の内容】
【０００８】
また、上記第１の通知信号は、上記仮想オブジェクトを識別するための識別データ又は上記表示位置を表す位置データを含んでもよい。
【手続補正４】
【補正対象書類名】明細書
【補正対象項目名】００１０
【補正方法】変更
【補正の内容】
【００１０】
また、上記第２の通知信号は、上記表示位置を表す位置データを含んでもよい。
【手続補正５】
【補正対象書類名】明細書
【補正対象項目名】００１１
【補正方法】変更
【補正の内容】
【００１１】
また、上記表示制御部は、上記通信部により他の装置から上記第１の通知信号が受信された場合にも、上記入力画像に映る上記操作子を用いて操作される上記仮想オブジェクトを上記画面に表示させてもよい。
【手続補正６】
【補正対象書類名】明細書
【補正対象項目名】００１２
【補正方法】変更
【補正の内容】
【００１２】
また、上記通信部により受信された上記第１の通知信号が自装置が表示すべき仮想オブジェクトに関連しない場合には、上記操作子の認識は行われなくてもよい。
【手続補正７】
【補正対象書類名】明細書
【補正対象項目名】００１３
【補正方法】変更
【補正の内容】
【００１３】
また、上記通信部は、上記第１のユーザ入力が検出された後、上記操作子の認識の結果において上記操作子が上記仮想オブジェクトに接したと判定された場合に、上記他の装置へ上記第１の通知信号を送信してもよい。
【手続補正８】
【補正対象書類名】明細書
【補正対象項目名】００１５
【補正方法】変更
【補正の内容】
【００１５】
また、上記第１の通知信号は、上記仮想オブジェクトを識別するための識別データ又は上記表示位置を表す位置データを含み、上記仮想オブジェクトと共通する仮想オブジェクトを表示する他の装置へ上記情報処理装置を介して転送されてもよい。
【手続補正９】
【補正対象書類名】明細書
【補正対象項目名】００１６
【補正方法】変更
【補正の内容】
【００１６】
また、上記画像処理装置は、上記操作子を表す操作子画像を記憶している記憶部と、上記記憶部に記憶されている上記操作子画像を用いて、上記入力画像に映る上記操作子を認識する画像認識部と、をさらに備えてもよい。
【手続補正１０】
【補正対象書類名】明細書
【補正対象項目名】００１７
【補正方法】変更
【補正の内容】
【００１７】
また、別の実施形態によれば、画像処理装置における画像処理方法であって、実空間を撮影した入力画像を取得するステップと、操作開始を表す第１のユーザ入力を検出するステップと、上記画像処理装置が操作しようとする仮想オブジェクトと共通する仮想オブジェクトを表示する他の装置へ操作開始を通知するための第１の通知信号を送信するステップと、上記入力画像に映る操作子であって、上記仮想オブジェクトの操作のために用いられる当該操作子についての認識の結果に応じて算出される画面上の表示位置に上記仮想オブジェクトを表示させるステップと、を含む画像処理方法が提供される。
【手続補正１１】
【補正対象書類名】明細書
【補正対象項目名】００１８
【補正方法】変更
【補正の内容】
【００１８】
また、別の実施形態によれば、画像処理装置を制御するコンピュータを、実空間を撮影した入力画像を取得する入力画像取得部と、操作開始を表す第１のユーザ入力が検出された場合に、上記入力画像に映る操作子であって、仮想オブジェクトの操作のために用いられる当該操作子についての認識の結果に応じて算出される画面上の表示位置に上記仮想オブジェクトを表示させる表示制御部と、上記第１のユーザ入力が検出された場合に、上記仮想オブジェクトと共通する仮想オブジェクトを表示する他の装置へ操作開始を通知するための第１の通知信号を送信する通信部と、として機能させるための、プログラムが提供される。
【手続補正１２】
【補正対象書類名】明細書
【補正対象項目名】００１９
【補正方法】変更
【補正の内容】
【００１９】
また、別の実施形態によれば、２つ以上の画像処理装置を含む画像処理システムであって、各画像処理装置は、実空間を撮影した入力画像を取得する入力画像取得部と、操作開始を表す第１のユーザ入力が検出された場合に、上記入力画像に映る操作子であって、仮想オブジェクトの操作のために用いられる当該操作子についての認識の結果に応じて算出される画面上の表示位置に上記仮想オブジェクトを表示させる表示制御部と、上記第１のユーザ入力が検出された場合に、上記仮想オブジェクトと共通する仮想オブジェクトを表示する他の装置へ操作開始を通知するための第１の通知信号を送信する通信部と、をそれぞれ備え、上記操作子は、上記通信部により他の装置から上記第１の通知信号が受信された場合にも、上記入力画像内で認識される、画像処理システムが提供される。